(57)【要約】【課題】軽量化という目的を損なうことがなく、隣接するプレキャストコンクリート板の連続性を確保することができ、かつ施工性等に優れたプレキャストコンクリート板を提供する。【解決手段】埋込材１０の下面と、トラス筋５を備えたコンクリート基板２の間に、プレキャストコンクリート板１同士を隣接させて使用する際に、隣接するプレキャストコンクリート板１上に跨って敷設される連結筋８を通すための空間部１２を有する。埋込材１０の下面に、コンクリート基板２に接地し固定される複数の脚部１１を備える。【選択図】図４
2020172786.tif 000002
【特許請求の範囲】
【請求項１】
下端が埋設されたトラス筋を備えたコンクリート基板と、該コンクリート基板上に設けられた埋込材とを備えたプレキャストコンクリート板において、
前記プレキャストコンクリート板同士を隣接させて使用する際に、隣接する前記プレキャストコンクリート板上に跨って敷設される連結筋を通すための空間部を、前記埋込材の下面と前記コンクリート基板との間に有することを特徴とする、
プレキャストコンクリート板。
【請求項２】
前記埋込材の下面に、前記コンクリート基板に接地し固定される複数の脚部を備え、該複数の脚部の間に前記空間部を有する、請求項１に記載のプレキャストコンクリート板。
【請求項３】
請求項１又は２に記載のプレキャストコンクリート板が連設され、隣接する前記プレキャストコンクリート板上に跨って連結筋が前記空間部に通されて敷設され、その上にコンクリートが打設された、中空スラブ構造。
【発明の詳細な説明】
【技術分野】
【０００１】
本発明は、中空コンクリートスラブに用いられるプレキャストコンクリート板及び中空スラブ構造に関する。
【背景技術】
【０００２】
建築物の床材、天井材として構成されるコンクリートスラブの施工方法として、軽量化、遮音効果等を向上させる目的で、軽量の埋込材（ボイド型枠）をコンクリート内部に埋込んで構築することが知られている。
通常、予め工場等でスラブ下端筋やトラス筋が埋設された略矩形のプレキャストコンクリート基板上に埋込材を設置してなるプレキャストコンクリート板を梁間に架設し、その上に上端筋を敷設し、現場打ちコンクリートを打設することによって床スラブを形成する（特許文献１参照）。
例えば、高層の建物において、平面視、井桁状に組まれた梁を備える建物では、図６に示すように、矩形状のプレキャストコンクリート板を梁間に架設して構築する。
また、ダブルチューブ構造の建物の場合は、図７に示すように、建物の角部領域において、扇形のプレキャストコンクリート板を柱梁間に架設して構築する（特許文献２参照）。これにより内周架構と外周架構とを連結する梁のない建物の角部に床スラブを構築することができる。しかし、扇形の幅の狭くなる部分（建物の内部側）が鋭角な板の集合となり、納まりが複雑となり、その範囲には床開口を設けられない等の不都合が生じ、また、製作や現場での施工も難しく、それに伴いコストもかかるといった問題があった。
一方、矩形のプレキャストコンクリート板同士を隣接させてスラブを構築する場合、特許文献１の図２に示すように、隣接するプレキャストコンクリート板上に跨ぐように連結筋（下端補強筋）を敷設することが行われるが、埋込材が基板上に設置されているため、それが障害となり、連結筋の充分な長さが得られず、隣接するプレキャストコンクリート板の連続性の確保が難しいという問題がある。この問題を考慮して、特許文献３には、埋込材を間引きして設置する技術が開示されているが、埋込材の減少により軽量化が損なわれスラブの重量化は避けられない。
【先行技術文献】
【特許文献】
【０００３】
【特許文献１】特開平０７−２９２８２８号公報
【特許文献２】特開２００４−２７０１５３号公報
【特許文献３】特開２００６−１３８１６６号公報
【発明の概要】
【発明が解決しようとする課題】
【０００４】
本発明は、上述したような問題点を解消すべくなされたもので、コンクリートスラブの軽量化という目的を損なうことがなく、隣接するプレキャストコンクリート板の連続性を確保することができ、かつ施工性等に優れたプレキャストコンクリート板を提供することを課題とする。
【課題を解決するための手段】
【０００５】
（１）下端が埋設されたトラス筋を備えたコンクリート基板と、該コンクリート基板上に設けられた埋込材とを備えたプレキャストコンクリート板において、
前記プレキャストコンクリート板同士を隣接させて使用する際に、隣接する前記プレキャストコンクリート板上に跨って敷設される連結筋を通すための空間部を、前記埋込材の下面と前記コンクリート基板との間に有することを特徴とする、
プレキャストコンクリート板である。
（２）前記埋込材の下面に、前記コンクリート基板に接地し固定される複数の脚部を備え、該複数の脚部の間に前記空間部を有するものである。
（３）前記プレキャストコンクリート板が連設され、隣接する前記プレキャストコンクリート板上に跨って連結筋が前記空間部に通されて敷設され、その上にコンクリートが打設された中空スラブ構造である。
【発明の効果】
【０００６】
（１）プレキャストコンクリート板同士を隣接させて使用する際に、隣接するプレキャストコンクリート板上に跨って敷設される連結筋を通すための空間部を、前記埋込材の下面とコンクリート基板との間に有するため、コンクリートスラブの軽量化という目的を損なうことなく、必要充分な長さの連結筋を空間部に挿通させて敷設することができるため、隣接するプレキャストコンクリート板の連続性を確保することができる。現場での施工性も煩雑ではなく従来とほぼ同様の方法で施工することができる。
また、内周架構と外周架構とを連結する梁のないダブルチューブ構造の建物の角部に床スラブを構築する際、納まりの複雑化を避けるとともに、床開口を設けられない等の不都合を生じることがない。
（２）埋込材の下面に、コンクリート基板に接地し固定される複数の脚部を備え、該複数の脚部の間に前記空間部を有する構成により、簡単かつ確実に空間部を設けることができる。
（３）前記プレキャストコンクリート板が連設され、隣接する前記プレキャストコンクリート板上に跨って連結筋が前記空間部に通されて敷設され、その上にコンクリートが打設された中空スラブ構造により、スラブの軽量化、施工性を向上させることができる。
【図面の簡単な説明】
【０００７】
【図１】プレキャストコンクリート板１を示し、（ａ）は平面図、（ｂ）は（ａ）のｂ−ｂ断面図である。
【図２】埋込材１０の斜視図である。
【図３】建物３０に適用されるプレキャストコンクリート板１の配置例を示す平面図である。
【図４】図３のａ−ａ断面図である。
【図５】プレキャストコンクリート板の接合部を示す断面図である。
【図６】建物３０に適用されるプレキャストコンクリート板の従来の配置例を示す平面図である。
【図７】建物３０に適用されるプレキャストコンクリート板の従来の配置例を示す平面図である。
【発明を実施するための形態】
【０００８】
下端が埋設されたトラス筋を備えたプレキャストコンクリート基板と、該基板上に設けられた埋込材とを備えたプレキャストコンクリート板において、埋込材の下面とプレキャストコンクリート基板との間に、プレキャストコンクリート板同士を隣接させて使用する際に、隣接するプレキャストコンクリート板上に跨って敷設される連結筋を通すための空間部を有するように構成した。
【実施例１】
【０００９】
プレキャストコンクリート板１は、平面視矩形をなし、コンクリート基板２と、その内部に格子状に埋設された下端筋３，４と、下端が埋設されたトラス筋５と、埋込材１０とを備えている。このプレキャストコンクリート板１は、工場や施工現場で製造される。
【００１０】
トラス筋５は、二股状に形成されたラチス筋５１と、その各頂部に固定された上弦材５２と、各ラチス筋５１の下端に固定された二本の下弦材５３，５３とを備えている。下弦材５３，５３とラチス筋５１の下端がコンクリート基板２の内部に、下端筋３，４の上に埋設されている。トラス筋５は、コンクリート基板２の長手方向に延びるように配設される。
【００１１】
トラス筋５の間に、埋込材１０が配設されている。埋込材１０は、合成樹脂の発泡成形品からなる立体形である。通常、中実に形成される。埋込材１０は、図２に示すとおり、その下面に、コンクリート基板２に接地し固定される複数の脚部１１，１１を備えており、該複数の脚部１１，１１の間に空間部１２を有する形態となっている。脚部１１は、コンクリート基板２に接着するか、その一部を埋設するか又は釘打ち等の固定手段によりコンクリート基板２に固定される。埋込材１０の上部には上面から上方へ突出する凸部１３が設けられている。上端筋が配筋された状態において該凸部１３がボイド部として付加されることにより、ボイド部として付加された分、構築するスラブの軽量化が図られる。
【００１２】
上記のとおり、埋込材１０の下面とコンクリート基板２との間に空間部１２があり、この空間部１２がプレキャストコンクリート板１同士を隣接させて使用する際に、隣接するプレキャストコンクリート板１上に跨って敷設される連結筋を通すための空間部１２となる。この空間部１２の高さは通常４０〜６０ｍｍ程度である。
埋込材１０の形状は上記のものに限られず各種立体形状を採用し得る。埋込材１０の大きさや数は必要に応じて設定される。上記構造の埋込材１０は、コンクリート基板２の少なくとも四辺に沿う位置に配置するのが好ましい。
【００１３】
上記のように構成されたプレキャストコンクリート板１は、例えば図３に示すようなダブルチューブ構造の建物３０の各角部のスラブの構築に好適に用いられる。
建物３０の角部領域において、散点ハッチングで示す部分が上記プレキャストコンクリート板１が適用されている部分である。この領域で、プレキャストコンクリート板１がその長辺部分が隣接するように複数枚、一方向へ向けて連設され、互いに接続されている。また、これらのプレキャストコンクリート板１と、内周架構３１と外周架構３２の各梁間に架設されたプレキャストコンクリート板１ａ，１ｂとが隣接し、接続される。
【００１４】
施工に当たっては、隣接するプレキャストコンクリート板１同士（及び１ａ，１ｂ）の継ぎ目（プレキャストコンクリート板１，１ａの長辺部分同士の継ぎ目及びプレキャストコンクリート１の短辺部分とプレキャストコンクリート１ｂの長辺部分との継ぎ目）に、隣接するプレキャストコンクリート板上に跨って連結筋を敷設する。
このとき、プレキャストコンクリート板１（及び１ａ，１ｂ）には埋込材１０が設けられているが、図４にその状態を示すとおり、埋込材１０の下面とコンクリート基板２との間に、連結筋８を通すための空間部１２を有するため、接続されるプレキャストコンクリート板１，１ａ，１ｂの連続性を確保するために必要な鉄筋長さを確保することができる。
施工は通常の工法と同様に、連結筋８を敷設し、その配筋が終了した後、上端筋を格子状に配筋する。必要な配筋作業を終了後、プレキャストコンクリート板１上に現場打ちコンクリートを所定厚さまで打設することにより作業が完了し、中空スラブが構築される。完成したスラブは二方向スラブとして機能する。
【００１５】
なお、図５は、埋込材１０の断面形状が上辺が大、底辺が小の台形状に形成された例を示している。埋込材１０は、プレキャストコンクリート板１の辺部（図示の例はプレキャストコンクリート板１の長辺部）に沿って位置するその側面が上部から下部（下面）へ向かって、プレキャストコンクリート板１の内側へ傾斜する傾斜面１５を有している。このような傾斜面１５を有するため、連結筋８を空間部１２に挿通する作業がし易いものとなる。
なお、符号１６は、埋込材１０上部から下面に渡り貫通するように設けられた、現場打ちコンクリートを注入するための打設口である。
【００１６】
以上、実施例を挙げて実施の形態を説明したが、本発明は上記した実施例に限定されるものではなく、本発明の要旨の範囲で適宜、付加、変形等なし得るものである。
埋込材は、その下面に脚部を設けた例を説明したが、脚部を設けずに、埋込材の上部にトラス筋への接続部分を設けてトラス筋に埋込材を固定したり、冶具を用いて埋込材をトラス筋に固定する等の手段も採用し得る。
【符号の説明】
【００１７】
１  プレキャストコンクリート板
１ａ  プレキャストコンクリート板
１ｂ  プレキャストコンクリート板
２  コンクリート基板
３  下端筋
４  下端筋
５  トラス筋
８  連結筋
１０  埋込材
１１  脚部
１２  空間部
３０  建物
【図１】
2020172786.tif 000003
【図２】
2020172786.tif 000004
【図３】
2020172786.tif 000005
【図４】
2020172786.tif 000006
【図５】
2020172786.tif 000007
【図６】
2020172786.tif 000008
【図７】
2020172786.tif 000009